(57)【特許請求の範囲】
【請求項１】
両面印刷すべき元データの各頁に設けられた識別マークを読み取るための識別情報読み取り部と、
前記識別情報読み取り部で読み取った前記識別マークの種類の変化および同じ種類の識別マークの数に関する情報に基づいて、前記同じ種類の識別マークの数が奇数のときに、読み取った前記識別マークの種類に対応する前記元データの分類の最終頁の次の頁の位置に白紙頁を挿入するための白紙頁挿入部とを備えていることを特徴とするデータ編集システム。
【請求項２】
前記識別情報読み取り部で読み取った前記識別マークの種類に基づいて、読み取った前記識別マークの種類に対応する前記元データの分類の各頁および挿入された前記白紙頁の所要位置に見出しを挿入するための見出し挿入部をさらに備えていることを特徴とする請求項１に記載のデータ編集システム。
【請求項３】
前記見出し挿入部は、前記識別マークの種類と前記見出しとの対応関係を定義するテーブルを有することを特徴とする請求項２に記載のデータ編集システム。
【請求項４】
両面印刷すべき元データの各頁に設けられた識別マークを読み取る識別情報読み取り工程と、
前記識別情報読み取り工程で読み取った前記識別マークの種類の変化および同じ種類の識別マークの数に関する情報に基づいて、前記同じ種類の識別マークの数が奇数のときに、読み取った前記識別マークの種類に対応する前記元データの分類の最終頁の次の頁の位置に白紙頁を挿入する白紙頁挿入工程とを含むことを特徴とするデータ編集方法。
【請求項５】
前記識別情報読み取り工程で読み取った前記識別マークの種類に基づいて、読み取った前記識別マークの種類に対応する前記元データの分類の各頁および挿入された前記白紙頁の所要位置に見出しを挿入する見出し挿入工程をさらに含むことを特徴とする請求項４に記載のデータ編集方法。
【発明の詳細な説明】
【０００１】
【発明の属する技術分野】
本発明は、データ編集システムおよび方法に関し、特に両面印刷における白紙頁の挿入に関するものである。
【０００２】
【従来の技術】
取扱説明書や規定集などのように複数ページから構成されるドキュメント（冊子）では、情報が両面に印刷されるのが一般的である。また、表紙を１頁目とすると、それ以降の目次、第一章、第２章といった分類の区切り目の開始頁が奇数頁になるように調整するのが一般的である。
【０００３】
そこで、両面印刷用のデータとして、例えばＰＤＦデータを使用する場合、本来の必要な印刷データだけでなく、分類ごとに開始頁が奇数枚目に印刷されるように調整のための白紙頁を挿入して元データを作成するという方法があった。
【０００４】
【発明が解決しようとする課題】
しかしながら、本来、元データの提供者は印刷データのみを提供することが好ましいことはいうまでもない。実際に、頁数を計算して白紙頁を挿入するという作業は手間のかかる作業であり、受け渡しのデータ容量も増加するという不都合があった。また、変更、追加または削除により頁数が増減した場合、白紙頁の妥当性について再度確認する必要があり、白紙頁を入れ間違えると体裁の良くない冊子ができてしまうという不都合があった。
【０００５】
本発明は、前述の課題に鑑みてなされたものであり、印刷データのみを含む元データに対して、両面印刷のための調整用の白紙頁を自動的に挿入することのできるデータ編集システムおよび方法を提供することを目的とする。
【０００６】
【課題を解決するための手段】
前記課題を解決するために、本発明の第１発明では、両面印刷すべき元データの各頁に設けられた識別マークを読み取るための識別情報読み取り部と、
前記識別情報読み取り部で読み取った前記識別マークの種類の変化および同じ種類の識別マークの数に関する情報に基づいて、前記同じ種類の識別マークの数が奇数のときに、読み取った前記識別マークの種類に対応する前記元データの分類の最終頁の次の頁の位置に白紙頁を挿入するための白紙頁挿入部とを備えていることを特徴とするデータ編集システムを提供する。
【０００７】
第１発明の好ましい態様によれば、前記識別情報読み取り部で読み取った前記識別マークの種類に基づいて、読み取った前記識別マークの種類に対応する前記元データの分類の各頁および挿入された前記白紙頁の所要位置に見出しを挿入するための見出し挿入部をさらに備えている。この場合、前記見出し挿入部は、前記識別マークの種類と前記見出しとの対応関係を定義するテーブルを有することが好ましい。
【０００８】
本発明の第２発明では、両面印刷すべき元データの各頁に設けられた識別マークを読み取る識別情報読み取り工程と、
前記識別情報読み取り工程で読み取った前記識別マークの種類の変化および同じ種類の識別マークの数に関する情報に基づいて、前記同じ種類の識別マークの数が奇数のときに、読み取った前記識別マークの種類に対応する前記元データの分類の最終頁の次の頁の位置に白紙頁を挿入する白紙頁挿入工程とを含むことを特徴とするデータ編集方法を提供する。
【０００９】
第２発明の好ましい態様によれば、前記識別情報読み取り工程で読み取った前記識別マークの種類に基づいて、読み取った前記識別マークの種類に対応する前記元データの分類の各頁および挿入された前記白紙頁の所要位置に見出しを挿入する見出し挿入工程をさらに含む。
【００１０】
【発明の実施の形態】
本発明の実施形態を、添付図面に基づいて説明する。
図１は、本発明の実施形態にかかるデータ編集システムの構成を概略的に示す図である。また、図２は、本実施形態の比較例として、分類ごとに開始頁が奇数枚目に印刷されるように調整のための白紙頁を挿入して元データを作成する従来の方法を説明する図である。
【００１１】
まず、本実施形態の説明に先立って、その比較例として、調整のための白紙頁を挿入して元データを作成する従来の方法について説明する。図２を参照すると、従来技術では、表紙を１頁目とし、それ以降の目次および第一章のような分類の区切り目の開始頁が奇数頁になるように調整している。すなわち、分類ごとに開始頁が奇数枚目に印刷されるように、調整のための白紙頁を挿入して元データを作成している。
【００１２】
これに対し、本実施形態では、図１に示すように、たとえばＰＤＦデータのファイル形式を有する元データ１１が、印刷データのみを含み、調整のための白紙頁を含んでいない。ただし、両面印刷すべき元データ１１の各頁の所定位置、すなわち各頁の左下の隅角部には、識別マーク（識別情報）１２が設けられて（表記されて）いる。
【００１３】
具体的には、表紙を構成すべき頁に「□」のマーク１２ａが、目次を構成すべき頁に「○」のマーク１２ｂが、第一章を構成すべき頁に「Ｉ」のマーク１２ｃが、第二章を構成すべき頁に「ＩＩ」のマーク１２ｄがそれぞれ設けられている。これらの識別マーク１２は、印刷時に表示されることがないように、両面印刷すべき用紙の色とほぼ同じ色、たとえば白色に表記されている。
【００１４】
本実施形態のシステムは、両面印刷すべき元データ１１の各頁に設けられた識別マーク１２を読み取るための識別マーク読み取り部１と、識別マーク読み取り部１で読み取った識別マーク１２に基づいて、元データ１１の所要位置に白紙頁２２を挿入するための白紙頁挿入部２とを備えている。識別マーク読み取り部１および挿入部２では、元データ１１から識別マーク１２を順次読み取り、識別マーク１２の種類が変わったときに、その新たな識別マークの頁が奇数頁になるように白紙頁２２を挿入する。
【００１５】
こうして、本実施形態のシステムにより、元データ１１に白紙頁２２を挿入した編集データ２１が得られる。編集データ２１では、図１に示すように、表紙の次に白紙頁２２ａが挿入され、目次の次に白紙頁２２ｂが挿入され、第一章の最終頁の次に白紙頁２２ｃが挿入され、第二章の最終頁の次に白紙頁２２ｄが挿入される。その結果、表紙、目次、第一章および第二章の分類ごとに開始頁が奇数枚目に印刷されるように調整される。
【００１６】
また、本実施形態のシステムは、識別マーク読み取り部１で読み取った識別マーク１２に基づいて、元データ１１の各頁および挿入された白紙頁２２の所要位置に見出し２３を挿入するための見出し挿入部３をさらに備えている。この目的のため、見出し挿入部３は、識別マーク１２と見出し２３との対応関係を定義するテーブル、すなわち識別マーク／見出しテーブル３ａを有する。
【００１７】
図３は、識別マーク／見出しテーブルにおいて定義される識別マークと見出しとの対応関係、および見出しの構成を示す図である。図３（ａ）に示すように、識別マーク／見出しテーブル３ａでは、第一章の「Ｉ」マーク１２ｃに対応するように「第一章  目的」の見出し２３ａおよびその印刷位置が定義され、第二章の「ＩＩ」マーク１２ｄに対応するように「第二章  概要」の見出し２３ｂおよびその印刷位置が定義されている。
【００１８】
なお、表紙の「□」マーク１２ａおよび目次の「○」マーク１２ｂには、見出しが定義されていない。したがって、本実施形態では、図１に示す編集データ２１において、第一章を構成するすべての頁（白紙２２ａを含む）に見出し２３ａ（図３（ｂ）を参照）が挿入され、第二章を構成するすべての頁（白紙２２ｂを含む）に見出し２３ｂが挿入される。こうして、本実施形態のシステムにより編集されたデータ２１は、両面印刷機３１を介してプリントされ、製本機３２を介して冊子が作成される。
【００１９】
以上のように、本実施形態では、印刷データのみを含む元データ１１に対して、両面印刷のための調整用の白紙頁２２および必要な見出し２３を自動的に挿入することにより、両面印刷機３１に入力すべき編集データ２１を作成することができる。その結果、本実施形態では、元データ１１の作成に際して、頁数を計算して白紙頁を入れる必要が無いため、頁数が増減しても白紙頁の妥当性について再度検討する必要がなく、受け渡しのデータ容量も軽減される。
【００２０】
また、本実施形態では、識別マーク１２に対応した見出し２３を必要に応じて挿入することができる。なお、見出し２３に表記すべき文字・サイズ・位置・色などの情報については、最終段階においてテーブル３ａで定義すればよいため、元データ１１の作成時に見出しに注意を払う必要はない。ところで、見出しが短い場合には、識別マークを「第一章  目的」、「第二章  概要」と表現することによって、テーブル３ａを使用せず、識別マーク自体を見出しに用いることもできる。この場合、「表紙」、［目次］といった識別マークの場合には見出しを印刷しないと予め定義しておけば良い。
【００２１】
なお、上述の実施形態では、表示、目次、第一章および第二章から構成される冊子に対して本発明を適用しているが、これに限定されることなく、様々な構成を有する冊子に本発明を適用することができる。
【００２２】
【発明の効果】
以上説明したように、本発明では、印刷データのみを含む元データに対して、両面印刷のための調整用の白紙頁を自動的に挿入することにより、両面印刷機に入力すべき編集データを作成することができる。その結果、本実施形態では、元データの作成に際して、頁数を計算して白紙頁を入れる必要が無いため、頁数が増減しても白紙頁の妥当性について再度検討する必要がなく、受け渡しのデータ容量も軽減される。
【図面の簡単な説明】
【図１】本発明の実施形態にかかるデータ編集システムの構成を概略的に示す図である。
【図２】本実施形態の比較例として、分類ごとに開始頁が奇数枚目に印刷されるように調整のための白紙頁を挿入して元データを作成する従来の方法を説明する図である。
【図３】識別マーク／見出しテーブルにおいて定義される識別マークと見出しとの対応関係、および見出しの構成を示す図である。
【符号の説明】
１  識別マーク読み取り部
２  白紙頁挿入部
３  見出し挿入部
３ａ  識別マーク／見出しテーブル
１１  元データ
１２  識別マーク
２１  編集データ
２２  白紙頁
２３  見出し
【図１】
0004574078.tif 000002
【図２】
0004574078.tif 000003
【図３】
0004574078.tif 000004